(57)【要約】【課題】  基材シートからの剥離シートの剥離、および被着体からの剥離シートの剥離を容易に行える両面粘着シートを提供する。【解決手段】  両面粘着シート５００は、両面に粘着層が設けられた基材シート５１０と、基材シート５１０の両面に剥離可能に密着している剥離シート５２０，５３０と、を有する。基材シート５１０の片面にはタブシート５４０が設けられている。タブシート５４０は、基材シート５１０を直線で区画した２つの領域のうち一方の領域に等しい位置および形状とされている。タブシート５４０が設けられた側と反対側の剥離シート５３０は、タブシート５４０の内側の辺に対応した位置に形成された切り込み５３１によって第１の部分５３０ａおよび第２の部分５３０ｂに分割されている。【選択図】  図１
2007291154.tif 000002
【特許請求の範囲】
【請求項１】
両面に粘着層が設けられた基材シートと、
前記粘着層によって前記基材シートの両面に剥離可能に密着している剥離シートと、
前記基材シートの片面の一部に設けられて、前記基材シートと一方の前記剥離シートとの間に挟まれたタブシートと、
を有し、
前記タブシートは、前記基材シートを直線によって区画した２つの領域のうち一方の領域上に配置され、
他方の前記剥離シートは、前記タブシートの内側の辺に対応した位置に形成された切り込みによって分割されている両面粘着シート。
【請求項２】
前記タブシートは前記基材シートよりも高い剛性を有している、請求項１に記載の両面粘着シート。
【請求項３】
前記基材シートは矩形の平面形状を有し、前記タブシートは、前記基材シートの１辺に沿って配置された短冊状の部材である、請求項１または２に記載の両面粘着シート。
【請求項４】
人体の表面近傍の血管に注入針により注入される薬液の漏出を検出する漏出検出システムであって、
前記漏出を検出する漏出検出ユニットと、
前記漏出検出ユニットからの検出結果に基いて、前記薬液の漏出が検出された場合は警報信号を発する検出装置本体と、
前記漏出検出ユニットを前記人体の表面に固定するのに用いる請求項１ないし３のいずれか１項に記載の両面粘着シートと、
を有する漏出検出システム。
【請求項５】
前記漏出検出ユニットは、特定の波長帯域の光を人体に向けて出射する発光素子と前記特定の波長帯域の光を検出する受光素子を備えた光学センサを有し、
前記両面粘着シートの基材シートは、前記特定の波長領域の光を透過する材料で形成されている、請求項３に記載の漏出検出システム。
【請求項６】
前記基材シートに、被着体の位置を示すマークが形成されている、請求項４または５に記載の漏出検出システム。
【発明の詳細な説明】
【技術分野】
【０００１】
本発明は、両面粘着シートに関し、特に、人体への注入針の保持と漏出検出ユニットの貼付とに好適に利用することができる両面粘着シートに関する。
【背景技術】
【０００２】
現在、医療用の画像診断装置としてＣＴ(Computed Tomography)スキャナ、ＭＲＩ(Magnetic Resonance Imaging)装置、ＰＥＴ(Positron Emission Tomography)装置、および超音波診断装置などの断層画像撮像装置や、アンギオ装置、ＭＲＡ(MR Angio)装置などの血管画像撮像装置等がある。
【０００３】
上述のような撮像装置を使用する際、被験者に造影剤や生理食塩水などの薬液を注入することがあり、この注入を自動的に実行する薬液注入装置も実用化されている。薬液注入装置は、薬液シリンジが装着され、装着された薬液シリンジを動作させることで、薬液シリンジ内に充填された薬液を押し出す注入ヘッドを有している。薬液シリンジには、延長チューブを介して注入針が連結されている。注入針を被験者の血管に刺入した状態で薬液注入装置を動作させることで、薬液シリンジ内の薬液が血管に圧送される。
【０００４】
しかし、このような薬液注入装置は薬液を自動的に高圧で注入するので、例えば、注入針が血管から外れて薬液が皮下に漏出しても、これを作業者が迅速に認識することは困難である。そこで、皮下に漏出した薬液の漏出を検出する各種の漏出検出装置が提案されている(例えば、特許文献１参照)。
【０００５】
さらに、本出願人は、薬液の漏出を検出する漏出センサユニットを検出装置本体と構造的に分離し、両者間での信号のやり取りを無線で行う漏出検出装置を提案している(例えば、特許文献２参照)。この場合、漏出センサユニットを小型に形成できるので、この漏出センサユニットを容易に人体に装着できる。人体への漏出センサユニットの装着には両面粘着シートを利用することができる。両面粘着シートは、表裏両面に粘着層が設けられた基材シートと、基材シートの両面に設けられた剥離シートと、を有する。漏出センサユニットを人体に装着する際は、両剥離シートを基材シートから剥離し、人体の注入針が刺入された部位に、基材シートを介して漏出センサユニットを貼付する。
【特許文献１】特開２００４−１９４８０２号公報
【特許文献２】特開２００５−１５２５７７号公報
【発明の開示】
【発明が解決しようとする課題】
【０００６】
しかし、一般的な両面粘着シートでは、基材シートと剥離シートとは両者が同一形状であり、かつ全面が互いに密着しているので、使用に際して基材シートから剥離シートを剥離させることが容易ではなかった。また、基材シートは、その全面が被着体に密着しているので、使用後や貼り直したいときなどに被着体から剥離するのも容易ではなかった。特に漏出検出装置の用途では、漏出センサユニットを人体から取り外した後、人体または漏出センサユニットに密着している基材シートを取り除く必要があるため、使用後に基材シートが被着体から剥離しにくいことは非常に不都合である。
【０００７】
そこで本発明は、使用に際して剥離シートを基材シートから容易に剥離でき、かつ被着体から剥離する必要がある場合には被着体から容易に剥離することができる両面粘着シートを提供することを目的とする。
【課題を解決するための手段】
【０００８】
本発明の両面粘着シートは、両面に粘着層が設けられた基材シートと、粘着層によって基材シートの両面に剥離可能に密着している剥離シートと、基材シートの片面の一部に設けられて、基材シートと一方の剥離シートとの間に挟まれたタブシートと、を有している。さらに本発明の両面粘着シートでは、タブシートは、基材シートを直線によって区画した２つの領域のうち一方の領域上に配置され、他方の剥離シートは、タブシートの内側の辺に対応した位置に形成された切り込みによって分割されている。
【０００９】
本発明の両面粘着シートは、基材シートの片面にタブシートが設けられており、この部分では剥離シートは基材シートと密着していないので、基材シートからの剥離シートの剥離は容易である。基材シートのもう一方の面側では、剥離シートはタブシートに対応した位置に形成された切り込みによって分割されており、基材シートからの剥離シートの剥離を容易に行える。一方、被着体に貼付された基材シートは、タブシートが設けられた部分では被着体と密着していない。したがって、基材シートを被着体から剥離する際は、タブシートが設けられた部分を被着体から引き起こすことによって、容易に剥離することができる
タブシートが設けられた部分の、被着体からの引き起こしをより容易にするためには、タブシートは基材シートよりも高い剛性を有していることが好ましい。また、本発明の両面粘着シートは、基材シートは矩形の平面形状を有し、タブシートは、基材シートの１辺に沿って配置された短冊状の部材であるように構成することができる。
【００１０】
本発明はさらに、漏出検出システムを提供するものである。本発明の漏出検出システムは、人体の表面近傍の血管に注入針により注入される薬液の漏出を検出する漏出検出システムである。そして本発明の漏出検出システムは、薬液の漏出を検出する漏出検出ユニットと、漏出検出ユニットからの検出結果に基いて、薬液の漏出が検出された場合は警報信号を発する検出装置本体と、漏出検出ユニットを人体の表面に固定するのに用いる上記本発明の両面粘着シートと、を有する。
【発明の効果】
【００１１】
本発明によれば、被着体への貼付のための基材シートからの剥離シートの剥離、および被着体からの基材シートの剥離を非常に容易に行えるので、被着体への貼付時および被着体からの剥離時とも取り扱いが優れた両面粘着シートとすることができる。
【発明を実施するための最良の形態】
【００１２】
次に、本発明の実施形態について図面を参照して説明する。
【００１３】
図１は、本発明の一実施形態による両面粘着シートの分解斜視図であり、図２は、図1に示す両面粘着シートのＢ−Ｂ線断面図である。なお、図２では、両面粘着シートの層構成を分りやすくするため、両面粘着シートの辺の長さに対する各層の厚さを実際の関係よりも厚く描いている。このことは、以降においても同様である。
【００１４】
本実施形態の両面粘着シート５００は、基材シート５１０と、基材シート５１０の表面および裏面に配された２枚の剥離シート５２０，５３０とを有している。基材シート５１０の表裏両面にはそれぞれ粘着層５１１が形成されており、各剥離シート５２０，５３０は、粘着層５１１によって、基材シート５１０に剥離可能に接着されている。
【００１５】
基材シート５１０および各剥離シート５２０，５３０は、ともに同じサイズに形成されており、具体的な寸法は、例えば、５ｃｍ×５ｃｍの正方形とされる。基材シート５１０には樹脂からなるフィルムや不織布などを用いることができ、具体的な材料は、この両面粘着シート５００の用途に応じた必要な機械的強度を有していれば特に限定されない。また、剥離シート５２０，５３０は、一般的な両面粘着シートと同様、片面または両面に樹脂コーティングされた紙製のシートを用いることができる。
【００１６】
基材シート５１０の一方の面には、非粘着性のタブシート５４０が設けられている。タブシート５４０は、その長辺が基材シート５１０の１辺と等しい長さを有する短冊状の部材であり、タブシート５４０の一方の長辺と基材シート５１０の１辺とを一致させて、基材シート５１０の１辺に沿って基材シート５１０のエッジ部に配置されている。言い換えれば、タブシート５４０は、基材シート５１０を直線で２つの領域に区画したとき、小さいほうの区画に一致するように設けられている。したがって、基材シート５１０のエッジ部では、基材シート５１０と一方の剥離シート５２０との間にタブシート５４０が存在しており、タブシート５４０が存在している部位では、剥離シート５２０は基材シート５１０に密着していない。
【００１７】
タブシート５４０としては、基材シート５１０に固定され得るものであれば材料は特に限定されず、取り扱いやリサイクル性などを考慮すると、基材シート５１０に用いられている樹脂と同種の樹脂を好ましく用いることができる。また、タブシート５４０は、基材シート５１０よりも高い剛性を有しており、基材シート５１０と比較して曲げにくくなっている。
【００１８】
なお、本形態ではタブシート５４０は基材シート５１０の粘着層５１１上に設けられており、粘着層５１１の粘着力を利用してタブシート５４０を基材シート５１０に固定している。しかし、基材シート５１０へのタブシート５４０の固定方法はこれに限られるものではない。例えば、タブシート５４０が設けられる位置には粘着層５１１を設けず、基材シート５１０とタブシート５４０とを熱融着で固定してもよい。
【００１９】
もう一方の剥離シート５３０には、タブシート５４０の「内側の辺」に対応した位置に切り込み切り込み５３１が形成されている。「内側の辺」とは、タブシート５４０の外周辺のうち、剥離シート５２０によって覆われている、両面粘着シート５００の外形を構成しない辺を意味する。これによって、剥離シート５３０は、基材シート５１０を間においてタブシート５４０と対向している第１の部分５３０ａと、残りの部分である第２の部分５３０ｂと、に分割されている。
【００２０】
次に、上述した両面粘着シート５００の、被着体への貼付手順および使用後の除去手順を、図３Ａ〜図３Ｃを参照して説明する。
【００２１】
まず、図３Ａに示すように、切り込み５３１の位置で剥離シート５３０の第２の部分５３０ｂを矢印Ｃのように引き起こし、第２の部分５３０ｂを基材シート５１０から剥離する。このとき、両面粘着テープ５００のタブシート５４０が設けられた部分を掴み、第２の部分５３０ｂの引き起こし方向と反対側へ曲げる。これによって、剥離シート５３０は切り込み５３１の位置で第１の部分５３０ａと第２の部分５３０ｂとの間に隙間が生じるので、第２の部分５３０ｂを基材シート５１０から非常に容易に剥離することができる。また、剥離シート５３０の第１の部分５３０ａは基材シート５１０に密着したままであるので、第１の部分５３０ａは剥離シート５３０を剥離する際の掴み代となり、粘着層５１１を汚すことなく剥離シート５３０を剥離することができる。
【００２２】
剥離シート５３０を剥離したら、図３Ｂに示すように、両面粘着シート５００の剥離シート５３０が剥離された側を第１の被着体６００に貼付する。
【００２３】
次いで、もう一方の剥離シート５２０を基材シート５１０から剥離する。このとき基材シートから剥離する剥離シート５２０は、タブシート５４０と対向する位置では何とも密着していないので、タブシート５４０と対向する部分を掴んで剥離シート５２０を矢印Ｄ方向に引き起こすことによって、剥離シート５２０を容易に剥離することができる。
【００２４】
剥離シート５２０を剥離したら、露出した粘着層５１１に第２の被着体（不図示）を押し付ける。これによって、第１の被着体６００に第２の被着体を固定することができる。
【００２５】
固定された第２の被着体を第１の被着体６００から分離する場合は、第２の被着体を第１の被着体６００から引き離す。第２の被着体を引き離すと、第１の被着体６００と第２の被着体とを固定していた基材シート５１０は、第１の被着体６００または第２の被着体のいずれかに密着している。
【００２６】
基材シート５１０が第１の被着体６００に密着している場合は、図３Ｃに示すように、基材シート５１０のタブシート５４０が設けられた部分を矢印Ｅ方向に引き起こし、引き起こされた部分を摘んで基材シート５１０を第１の被着体６００から剥離する。基材シート５１０が第２の被着体に密着している場合も同様に、基材シート５１０のタブシート５４０が設けられた部分を第２の被着体から引き起こし、引き起こされた部分を摘んで基材シート５１０を第２の被着体から剥離する。
【００２７】
上述のように、基材シート５１０は、そのエッジ部において、表裏両面にそれぞれタブシート５４０および剥離シート５３０の第１の部分５３０ａが存在しており、そこは第１の被着体６００にも第２の被着体にも密着しない。したがって、使用後の基材シート５１０のエッジ部を第１の被着体６００または第２の被着体から容易に引き起こすことができ、結果的に、基材シート５１０を容易に剥離することができる。さらに、タブシート５４０の剛性を基材シート５１０の剛性よりも高くすることによって、タブシート５４０が設けられた部分の引き起こしをより容易に行えるようになる。
【００２８】
両面粘着シート５００は、任意の２つの被着体同士を固定するのに用いることができるが、特に、医療用の撮像システムにおいて、人体に注入された薬液の漏出を検出する漏出検出ユニットを人体に固定することに好適に利用することができる。
【００２９】
以下に、本実施形態の両面粘着シート５００を用いた透視撮像システムについて説明する。
【００３０】
図４に示すように、透視撮像システム１０００は、薬液注入装置１００と、透視撮像装置であるＣＴスキャナ３００と、を有している。詳細には後述するが、本形態の薬液注入装置１００は、薬液の漏出を検出する漏出検出システムを含んでいる。
【００３１】
ＣＴスキャナ３００は、撮像実行機構である透視撮像ユニット３０１と撮像制御ユニット３０２とを有している。透視撮像ユニット３０１と撮像制御ユニット３０２とは、通信ネットワークによって接続されている。透視撮像ユニット３０１は被験者(図示せず)から透視画像を撮像し、撮像制御ユニット３０２は透視撮像ユニット３０１を動作制御する。
【００３２】
薬液注入装置１００は、図５に示すように、薬液シリンジを装着可能な注入ヘッド１１０と、注入ヘッド１１０とケーブル１０２で電気的に接続された、注入ヘッド１１０の動作を制御する注入制御ユニット１０１と、を有している。注入ヘッド１１０は、装着される薬液シリンジを操作して被験者に薬液を注入するものであり、キャスタスタンド１１１の上端部に、可動アーム１１２を介して支持されている。
【００３３】
注入制御ユニット１０１は、操作パネル１０３、ディスプレイ１０４、スピーカユニット１０５、等が本体ハウジング１０６の前面に配置されている。また、注入制御ユニット１０１には、コントローラユニット１０７がケーブル１０８を介して電気的に接続されている。
【００３４】
なお、図４では図示を簡単にするため、ＣＴスキャナ３００の撮像ユニット３０１の近傍に制御ユニット３０２と薬液注入装置１００の全部とが位置しているが、実際の現場では撮像ユニット３０１の近傍には薬液注入装置１００の注入ヘッド１１０のみが配置され、制御ユニット３０２と注入制御ユニット１０１とは別室に設置される。
【００３５】
図６に示すように、注入ヘッド１１０は、薬液シリンジ２００を着脱自在に装着するものであり、薬液シリンジ２００が着脱自在に装着されるシリンジ装着部１１３と、装着された薬液シリンジ２００を動作させるシリンジ駆動機構を内蔵した注入ヘッド本体部１１１と、を有する。さらに、注入ヘッド１１０の動作は、基本的には注入制御ユニット１０１（図５参照）への手動操作によって制御されるが、簡単な手動操作を受ける操作パネルが、注入ヘッド本体部１１１の上面にも設けられている。
【００３６】
薬液シリンジ２００は、先端部に導管部２１２が形成されたシリンダ部材２１０と、シリンダ部材２１０内にスライド自在に挿入されるピストン部材２２０と、を有している。シリンダ部材２１０およびピストン部材２２０の後端部には、それぞれフランジ２１３、２２１が形成されている。
【００３７】
注入ヘッド本体部１１１からは、シリンジ駆動機構によって駆動される駆動ロッド１１６が突出している。駆動ロッド１１６の先端部には、ピストン部材２２０のフランジ２２１が着脱自在に装着されるフランジチャックが設けられている。駆動ロッド１１６はそれぞれ、作動時にも磁界を発生しない超音波モータ（不図示）を駆動源としており、超音波モータの回転は、ネジ機構（不図示）といった運動伝達機構によって駆動ロッド１１６の直線運動に変換される。
【００３８】
シリンジ装着部１１３は、駆動ロッド１１６に対応して配されているＵ字溝状の凹部１１４を有する。凹部１１４は、薬液シリンジ２００をピストン部材２２０がシリンダ部材２１０に対してスライド可能であるように装着するためのものである。
【００３９】
シリンジ装着部１１３には、シリンダ部材２１０のフランジ２１３が嵌め込まれることによってシリンダ部材２１０をシリンジ保持部１１３の所定の位置に固定するフランジ係合機構１１５が設けられている。
【００４０】
駆動ロッド１１６の先端部に設けられたフランジチャックは、凹部１１４内に位置しており、駆動ロッド１１７を駆動することによって凹部１１４内を凹部１１４に沿って往復移動する。したがって、フランジチャックでピストン部材２２０のフランジ２２１をチャックした状態で駆動ロッド１１７を動作させることにより、ピストン部材２２０はシリンダ部材２１０に対して進退移動し、これによって、シリンダ部材２１０内に薬液を充填したり、充填された薬液を吐出させたりすることができる。
【００４１】
注入ヘッド１１０の各構成部材は、非磁性体で構成可能な部分は非磁性体で構成され、かつ、非磁性体で構成できない部分は防磁されている。例えば、超音波モータなど金属製の部品は、燐青銅合金、チタン合金、マグネシウム合金などの非磁性金属で形成される。また、注入ヘッド１１０の筐体などは、非磁性体の樹脂で形成されている。
【００４２】
薬液シリンジ２００の導管部２１２には、図７に示すように、例えば、延長チューブ２３１を介して注入針２３０が接続される。注入針２３０は、人体の腕部Ａの表面近傍の血管Ｖに刺入される。薬液シリンジ２００を注入ヘッド１１０に保持し、注入制御ユニット１０１（図５参照）からの指令で注入ヘッド１１０を駆動することによって、薬液シリンジ２００内に充填されている薬液は、延長チューブ２３１および注入針２３０を通って血管Ｖ内に注入される。
【００４３】
前述したように、本形態の薬液注入装置１００は漏出検出システムを含んでおり、図５に示す注入制御ユニット１０１は、漏出検出システムの検出装置本体を兼用している。
【００４４】
漏出検出システムは、この検出装置本体の他に、図７に示す、人体の腕部Ａに固定される漏出検出ユニット４０１と、漏出検出ユニット４０１を腕部Ａに固定するのに利用される、上述した両面粘着シート５００と、を含んでいる。両面粘着シート５００は、血管Ｖに刺入された注入針２３０が抜けないように固定する役目も果たす。
【００４５】
漏出検出ユニット４０１は、注入制御ユニット１０１と無線接続または有線接続されている。両者が無線接続される場合、両者には無線通信デバイス（不図示）が備えられる。
【００４６】
以下に、図８を参照して漏出検出ユニット４０１について説明する。
【００４７】
漏出検出ユニット４０１は、１面が光学フィルタ４０６で塞がれたボックス状のハウジング４０２と、ハウジング４０２の内部に設けられた光学センサと、を有している。光学センサは、発光素子である発光ダイオード４０３と、受光素子であるフォトトランジスタ４０４と、を有する。
【００４８】
発光ダイオード４０３は、その発光部を光学フィルタ４０６に向けて配置され、所定の波長帯域の光を、光学フィルタ４０６を通してハウジング４０２の外部へ出射する。フォトトランジスタ４０４は、受光部を光学フィルタ４０６に向けて配置され、光学フィルタ４０６を通してハウジング４０２内に入射した、発光ダイオード４０３が出射する光と同じ波長帯域を含む光を受光する。
【００４９】
発光ダイオード４０３が出射する光は、腕部Ａの内部組織で均等に反射される波長帯域の光であり、その波長帯域には、腕部Ａの内部組織に対する反射率より造影剤などの薬液に対する反射率が低い特定の波長が含まれている。このため、腕部Ａの内部に薬液が漏出していない状態では、図９Ａに示すように、腕部Ａの内部で反射されて検出される波長帯域の光の強度分布はほぼ一定となるが、腕部Ａの内部に薬液が漏出すると、図９Ｂに示すように、腕部Ａの内部で反射されて検出される光の強度は特定波長の部分のみ極端に低下する。
【００５０】
具体的には、人体は８００ｎｍ〜１０００ｎｍ程度の波長の赤外線を良好に透過するので、発光ダイオード４０１として９５０ｎｍをピーク波長とする赤外線ＬＥＤを利用し、フォトトランジスタ４０４により９５０ｎｍの波長の赤外線の強度を検出することが好ましい。このことにより、造影剤の漏出を良好に判定できる。
【００５１】
光学フィルタ４０６は、上述の波長帯域の光のみを透過する。漏出検出ユニット４０１の内部には回路基板４０７がさらに配置されている。発光ダイオード４０３およびフォトトランジスタ４０４は回路基板４０７に実装されている。回路基板４０７には、中央処理回路や、本形態では注入制御ユニット１０１（図５参照）が兼用している検出装置本体との間で信号の送受信を行うためのインターフェース等が設けられている。
【００５２】
中央処理回路は、発光ダイオード４０３およびフォトトランジスタ４０４の駆動を制御し、フォトトランジスタ４０４からの出力結果に基いて、薬液が漏出しているか否かを判定する機能を有するように、各種論理演算回路等が組み合わされて構成されている。また、中央処理回路は、検出装置本体に対して、漏出の発生が判定されていない場合は所定の待機信号を出力し、漏出の発生が判定された場合は、所定の警告信号を出力する。
【００５３】
検出装置本体は、各部を統合制御するマイクロプロセッサといった処理装置を有しており、漏出検出ユニット４０１からの信号が待機信号から警告信号に切り換わると、スピーカユニット１０５から音声出力とディスプレイ１０４による画像表示とで漏出警告を発するとともに、注入ヘッド１１０の動作を停止させ、薬液の注入を中止する。
【００５４】
受信検出手段１４２は、マイクロプロセッサ１３０が無線受信ユニット１２１の動作状態をデータ検出する機能などに相当し、無線信号の受信状態を検出する。状態報知手段１４３は、マイクロプロセッサ１３０が液晶ディスプレイ１０４を動作制御する機能などに相当し、受信検出手段１４２で検出される受信状態を液晶ディスプレイ１０４の画像表示などで報知出力する。
【００５５】
なお、本形態の両面粘着シート５００は、漏出検出ユニット４０１を腕部Ａに固定することに利用されるので、その基材シート５１０および粘着層５１１は、上述した発光ダイオード４０３が出射する所定の波長帯域の光を良好に透過する材料で形成されている。
【００５６】
上述のような構成において、本形態の透視撮像システム１０００を使用する場合、オペレータは、薬剤が充填された薬液シリンジ２００に、延長チューブ２３１を介して注入針２３０を接続する。被験者は、撮像ユニット３０１に位置しており、その被験者の腕部Ａの血管Ｖに、注入針２３０が刺入される。
【００５７】
次に、両面粘着シート５００が用意され、図３Ａを用いて前述したように剥離シート５３０の第２の部分５３０ｂを剥離する。第２の部分５３０ｂが剥離された基材シート５１０は、その粘着層５１１が露出した面を被験者の腕部Ａに向け、注入針２３０が刺入された部位を覆って腕部Ａに貼付される。その結果、注入針２３０は、基材シート５１０によって固定される。図７は、この状態を示している。
【００５８】
次に、図３Ｂを用いて説明したように、もう一方の剥離シート５２０を基材シート５１０から剥離し、それによって露出した粘着層５１１上に漏出検出ユニット４０１を、その光学フィルタ４０６を基材シート５１０に向けて貼り付ける。つまり、腕部Ａは、図３Ｂにおける第１の被着体６００に相当し、漏出検出ユニット４０１は第２の被着体に相当する。基材シート５１０からの各剥離シート５２０，５３０の剥離は、前述したとおり極めて容易である。
【００５９】
以上により、被験者の腕部Ａの、注入針２３０が刺入されている部位の上に、漏出検出ユニット４０１が固定される。
【００６０】
漏出検出ユニット４０１が固定された後、オペレータは、薬液シリンジ２００を薬液注入装置１００の注入ヘッド１１０に装着し、漏出検出ユニット４０１と注入制御ユニット１０１との電源スイッチ(図示せず)を各々投入し、必要に応じて、注入制御ユニット１０１に漏出検出ユニット４０１を利用する動作モードを設定する。これにより、薬液シリンジ２００内の薬液が血管Ｖ内に注入される。この間、漏出検出ユニット４０１によって、薬液の漏出の有無が検出され、漏出が検出された場合は、注入制御ユニット１０１より警報が発せられるとともに、薬液の注入が中止される。
【００６１】
透視撮像システム１０００による被験者の検査終了後、漏出検出ユニット４０１が被験者の腕部Ａから取り外される。このとき、漏出検出ユニット４０１を腕部Ａに固定していた基材シート５１０は、腕部Ａまたは漏出検出ユニット４０１に密着した状態となっている。しかし、前述したように、基材シート５１０はタブシート５４０が設けられた部分は腕部Ａにも漏出検出ユニット４０１にも密着していないので、この部分を引き起こすことにより、基材シート５１０を極めて容易に剥離することができる。剥離された基材シート５１０は廃棄される。
【００６２】
以上説明したように、両面粘着シート５００は、基材シート５１０からの各剥離シート５２０，５３０の剥離、および被着体からの基材シート５１０の剥離を極めて容易に行うことができ、全体として取り扱い性に優れている。
【００６３】
本発明は上記形態に限定されるものではなく、その要旨を逸脱しない範囲で種々の変更を加えることができる。
【００６４】
例えば、上記形態では両面粘着シートの１辺に沿った短冊状のタブシートを示したが、図１０に示すように、両面粘着シート６００の角部に位置する三角形状のタブシート６１０とすることもできる。また、両面粘着シートの平面形状についても、矩形状に限らず、例えば図１１に示す両面粘着シート６５０のように円形としたり、楕円形、または多角形など任意の平面形状としたりすることができる。
【００６５】
図１０に示す両面粘着シート６００および図１１に示す両面粘着シート６５０のいずれの場合も、タブシート６６０，６１０は、両面粘着シート６００，６５０の基材シートを直線で区画した２つの領域のうちの一方の領域に対応する形状および位置とされる。このように、基材シートを直線で２つの領域に区画したときの一方の領域に対応してタブシートを設けることによって、基材シートを被着体から剥離する際に、タブシートが設けられた部分を被着体に対して引き起こしやすくなる。
【００６６】
また、特に薬液漏出検出システムに用いられる両面粘着シートにおいては、例えば、図１２に示すように、基材シート７６０に、基材シート７６０が固定する注入針２３０の位置を示すマーク７６１と、貼付される漏出検出ユニット４０１の位置を示すマーク７６２と、を設けることもできる。注入針２３０の位置を示すマーク７６１は、腕部Ａへ貼付される側の剥離シートが基材シート７６０から剥離された状態で目視できるように設けられる。漏出検出ユニット４０１の位置を示すマーク７６２は、漏出検出ユニット４０１が貼付される側の剥離シートが基材シート７６０から剥離された状態で目視できるように設けられる。
【００６７】
このような基材シート７６０を用い、基材シート７６０を腕部Ａに貼付する際は、注入針２３０を示すマーク７６１の位置が、注入針２３０の腕部Ａから露出している部分と一致するように、基材シート７６０を注入針２３０に対して位置合せする。漏出検出ユニット４０１を腕部Ａに固定する際は、漏出検出ユニット４０１の位置を示すマーク７６２に、漏出検出ユニット４０１の位置が一致するように、基材シート７６０に対して漏出検出ユニット４０１を位置合せする。これによって、注入針２３０に対する漏出検出ユニット４１０の位置を適切にすることができる。
【００６８】
マーク７６１，７６２は、基材シート７６０が透明であれば、基材シート７６０の表裏いずれの面に形成しても構わないし、また各マーク７６１，７６２を形成する面は互いに同じ面であっても異なる面であってもよい。各マーク７６１，７６２は、基材シート７６０上に印刷によって形成することができるが、基材シート７６０が透明であれば、着色された樹脂によって基材シート７６０の内部に形成することもできる。
【００６９】
また、図１３に例示する両面粘着シート７７０のように、注入針２３０の位置の位置を示すマーク７７３は、漏出検出ユニット４０１が固定される側の剥離シート７７１の表面に形成しておき、基材シート７７２には漏出検出ユニット４０１の位置を示すマーク７７４のみを形成しておくことも可能である。この場合、両面粘着シート７７０で注入針２３０と漏出検出ユニット４０１との位置合せをより簡単かつ確実に行うことができる。
【００７０】
さらに、上記形態では基材シートは漏出検出ユニット４０１が出射する所定の波長帯域の光を良好に透過するものとして説明したが、基材シートは上述の波長帯域の光のみを透過することが好ましい。具体的には、所定の波長帯域の光線のみ透過するフィルム状の光学フィルタを基材シートとして用いる。この場合、基材シートが前述の光学フィルタ４０６と同様に機能することとなり、漏出検出ユニット４０１の検出精度を両面粘着シートにより向上させることができる。
【００７１】
また、上記形態では薬液注入装置１００が漏出検出システムを含んでいる例を示したが、例えば、漏出検出システムを薬液注入装置１００とは別に構成することもできる。ただし、前述のように薬液の漏出を検出した場合には、迅速に薬液の注入を停止させる必要があるので、漏出検出システムが薬液注入装置１００と連携して動作することは有用である。このため、漏出検出システムを薬液注入装置１００と別に形成する場合には、漏出検出システムの警告出力に連動して薬液注入装置１００が注入動作を停止させることが好適である。
【００７２】
さらに、上記形態では、薬液注入装置１００が薬液の漏出警告を発することを例示したが、例えば、その警告をＣＴスキャナ３００の制御ユニット３０２までデータ送信して液晶ディスプレイ３０４などに出力させることも可能である。前述のように、制御ユニット３０２は撮像ユニット３０１とは別室に設置されるので、その撮像ユニット３０１に警告を通達することは有効である。
【００７３】
また、上記形態では薬液注入装置１００が漏出警告に対応して注入動作を中止することを例示したが、例えば、このような薬液注入装置１００の動作中止に連動してＣＴスキャナ３００も撮像動作を中止することも可能である。その場合、薬液注入装置１００が漏出検出ユニット４０１の警告信号をＣＴスキャナ３００に直接にデータ送信することも可能であり、注入制御ユニット１０１から間接的にデータ転送することも可能である。
【００７４】
なお、上記形態では薬液注入装置１００をＣＴスキャナ３００の近傍で使用することを想定したが、これをＣＴスキャナ、ＰＥＴ装置、アンギオ装置、ＭＲＡ装置、超音波診断装置、等の近傍で使用することも可能である。
【００７５】
また、上記形態では漏出検出ユニット４０１に発光ダイオード４０３とフォトトランジスタ４０４とが１つずつ搭載されていることを例示したが、図１４Ａに示すように、複数の発光ダイオード４０３と複数のフォトトランジスタ４０４とが配列されている漏出検出ユニット４２１や、図１４Ｂに示すように、１つの発光ダイオード４０３の周囲に複数のフォトトランジスタ４０４が配列されている漏出検出ユニット４２２なども用いることができる。このような漏出検出システムでは、薬液の漏出を複数の位置で検出できるので、より良好に薬液の漏出を検出することができる。
【００７６】
さらに、上記形態では薬液注入装置１００の一つの凹部１１４に１個の薬液シリンジ２００が装着されることを例示したが、注入ヘッドの複数の凹部に複数の薬液シリンジ２００が装着されることも可能である(図示せず)。また、上記形態では薬液注入装置１００に薬液シリンジ２００が直接に装着されることを例示したが、現在市販されている薬液シリンジ２００には各種サイズが存在するので、例えば、最大サイズの薬液シリンジ２００のみ薬液注入装置１００に直接に装着され、最大以外の各種サイズの薬液シリンジ２００は各々に専用のシリンダアダプタ(図示せず)を介して薬液注入装置１００に装着されるようなことも可能である。
【図面の簡単な説明】
【００７７】
【図１】本発明の一実施形態による両面粘着シートの分解斜視図である。
【図２】図１に示す両面粘着シートのＢ−Ｂ線断面図である。
【図３Ａ】図１に示す両面粘着シートの使用手順を説明する断面図であり、裏面側の剥離シートを剥離している状態を示している。
【図３Ｂ】図１に示す両面粘着シートの使用手順を説明する断面図であり、第１の被着体に貼付した後、表面側の剥離シートを剥離している状態を示している。
【図３Ｃ】図１に示す両面粘着シートを使用した後、基材シートを第１の被着体から剥離している状態を示す断面図である。
【図４】透視撮像システムの外観を示す斜視図である。
【図５】図４に示す薬液注入装置の外観を示す斜視図である。
【図６】図５に示す注入ヘッドに薬液シリンジが装着される状態を示す斜視図である。
【図７】図１に示す両面粘着シートを用いて人体の腕部に漏出検出ユニットが固定される状態を示す斜視図である。
【図８】漏出検出ユニットの内部構造を示す断面図である。
【図９Ａ】薬液が漏出していない場合に漏出検出ユニットで検出される、光の波長と強度との関係の一例を示すグラフである。
【図９Ｂ】薬液が漏出した場合に漏出検出ユニットで検出される、光の波長と強度との関係の一例を示すグラフである。
【図１０】本発明の両面粘着シートの、タブシートの形状の変形例を示す平面図である。
【図１１】本発明の両面粘着シートの、平面形状の変形例を示す平面図である。
【図１２】本発明の両面粘着シートの他の例を示す、腕部に漏出検出ユニットが固定される状態の斜視図である。
【図１３】本発明の両面粘着シートのさらに他の例を示す、腕部に漏出検出ユニットが固定される状態の斜視図である。
【図１４Ａ】漏出検出ユニットの一変形例を示す斜視図である。
【図１４Ｂ】漏出検出ユニットの他の変形例を示す斜視図である。
【符号の説明】
【００７８】
１００    薬液注入装置
１０１    注入装置本体
２００    薬液シリンジ
２１０    シリンダ部材
２２０    ピストン部材
２３０    注入針
４０１，４２１，４２２    漏出検出ユニット
４０３    発光ダイオード
４０４    フォトトランジスタ
５００，７７０    両面粘着シート
５１０，７６０，７７２    基材シート
５１０，５２０，５３０，７７１    剥離シート
５１１    粘着層
５４０    タブシート
７６１，７６２，７７３，７７４    マーク
【図１】
2007291154.tif 000003
【図２】
2007291154.tif 000004
【図３Ａ】
2007291154.tif 000005
【図３Ｂ】
2007291154.tif 000006
【図３Ｃ】
2007291154.tif 000007
【図４】
2007291154.tif 000008
【図５】
2007291154.tif 000009
【図６】
2007291154.tif 000010
【図７】
2007291154.tif 000011
【図８】
2007291154.tif 000012
【図９Ａ】
2007291154.tif 000013
【図９Ｂ】
2007291154.tif 000014
【図１０】
2007291154.tif 000015
【図１１】
2007291154.tif 000016
【図１２】
2007291154.tif 000017
【図１３】
2007291154.tif 000018
【図１４Ａ】
2007291154.tif 000019
【図１４Ｂ】
2007291154.tif 000020